(57)【要約】【課題】撮像画像に含まれる人物及び鑑賞者の年齢に基づいて、撮像画像以外の部分に、撮像されている人物及び鑑賞者に適した配色を施す。【解決手段】本発明に係るアルバム作成装置は、アルバムを構成する撮像画像に含まれる人物の年齢、又はアルバムを閲覧する人物の年齢を特定する年齢特定部と、年齢特定部が特定した年齢に基づいて、アルバムにおける撮像画像以外の部分に使用する色を選択する色選択部と、色選択部が選択した色を使用して、アルバムにおける撮像画像以外の部分に色を付加する色付加部とを備える。【選択図】図２
2008535039.tif 000002
【特許請求の範囲】
【請求項１】
アルバムを構成する撮像画像に含まれる人物の年齢、またはアルバムを閲覧する人物の年齢を特定する年齢特定部と、
前記年齢特定部が特定した年齢に基づいて、アルバムにおける撮像画像以外の部分に使用する色を選択する色選択部と、
前記色選択部が選択した色を使用して、アルバムにおける撮像画像以外の部分に色を付加する色付加部と
を備えるアルバム作成装置。
【請求項２】
前記色選択部は、前記年齢特定部が特定した年齢がより高い場合に、彩度がより低い色を選択する
請求項１に記載のアルバム作成装置。
【請求項３】
前記色選択部は、前記年齢特定部が特定した年齢がより高い場合に、明度がより低い色を選択する
請求項１に記載のアルバム作成装置。
【請求項４】
年齢に対応づけて、予め定められた複数の色の組み合わせを示すカラーパレットの情報を格納するカラーパレット情報格納部
をさらに備え、
前記色選択部は、前記年齢特定部が特定した年齢に対応づけて前記カラーパレット情報格納部が格納するカラーパレットを選択し、
前記色付加部は、前記色選択部が選択したカラーパレットが示す複数の色の組み合わせを使用して、アルバムにおける撮像画像以外の部分に色を付加する
請求項１に記載のアルバム作成装置。
【請求項５】
前記年齢特定部が特定した年齢がより高い場合に、前記色選択部が選択した色の、前記アルバムにおける面積をより小さく決定する色面積決定部
をさらに備える請求項１に記載のアルバム作成装置。
【請求項６】
アルバムを構成する撮像画像に含まれる人物の画像である人物画像を抽出する人物画像抽出部
をさらに備え、
前記年齢特定部は、前記人物画像抽出部が抽出した人物画像に基づいて、アルバムを構成する撮像画像に含まれる人物の年齢を特定する
請求項１に記載のアルバム作成装置。
【請求項７】
前記人物画像抽出部は、抽出した人物画像に含まれる顔の画像である顔画像を抽出し、
前記年齢特定部は、前記人物画像抽出部が抽出した顔画像の顔の領域に対する目の位置に基づいて、アルバムを構成する撮像画像に含まれる人物の年齢を特定する
請求項６に記載のアルバム作成装置。
【請求項８】
アルバムをページ毎に順次表示する表示部
をさらに備え、
前記年齢特定部は、前記表示部が表示しているアルバムのページを閲覧している人物の年齢を特定し、
前記色選択部は、前記年齢特定部が特定した年齢に基づいて、アルバムの次のページにおける撮像画像以外の部分に使用する色を選択し、
前記色付加部は、前記色選択部が選択した色を使用して、アルバムの次のページにおける撮像画像以外の部分に色を付加し、
前記表示部は、前記色付加部が色を付加したアルバムの次のページを表示する
請求項１に記載のアルバム作成装置。
【請求項９】
前記表示部が表示しているアルバムのページを閲覧している人物を撮像する撮像部と、
前記撮像部が撮像した閲覧者画像に含まれる人物の画像である人物画像を抽出する人物画像抽出部と
をさらに備え、
前記年齢特定部は、前記人物画像抽出部が抽出した人物画像に基づいて、前記表示部が表示しているアルバムのページを閲覧している人物の年齢を特定する
請求項８に記載のアルバム作成装置。
【請求項１０】
アルバムを構成する撮像画像に含まれる人物の年齢、またはアルバムを閲覧する人物の年齢を特定する年齢特定段階と、
前記年齢特定段階が特定した年齢に基づいて、アルバムにおける撮像画像以外の部分に使用する色を選択する色選択段階と、
前記色選択段階が選択した色を使用して、アルバムにおける撮像画像以外の部分に色を付加する色付加段階と
を備えるアルバム作成方法。
【請求項１１】
アルバムにおける撮像画像以外の部分に色を付加するアルバム作成装置用のアルバム作成プログラムであって、前記アルバム作成装置を、
アルバムを構成する撮像画像に含まれる人物の年齢、またはアルバムを閲覧する人物の年齢を特定する年齢特定部、
前記年齢特定部が特定した年齢に基づいて、アルバムにおける撮像画像以外の部分に使用する色を選択する色選択部、
前記色選択部が選択した色を使用して、アルバムにおける撮像画像以外の部分に色を付加する色付加部
として機能させるアルバム作成プログラム。
【発明の詳細な説明】
【技術分野】
【０００１】
本願は日本特許出願第２００５−０９５９０３号（出願日：２００５年３月２９日）に基づき優先権を主張する。
本発明は、アルバム作成装置、アルバム作成方法、及びアルバム作成プログラムに関する。特に、本発明は、アルバムにおける撮像画像以外の部分に色を付加するアルバム作成装置、アルバム作成方法、及びアルバム作成プログラムに関する。
【背景技術】
【０００２】
従来、予め用意された映画等の動画の所定シーンに、ユーザの画像を自動的に組み込んで、ユーザが撮像画像に合成された画像を記録する方法が提案されている。
【特許文献１】特開２００３−１６３８８８号公報
【発明の開示】
【発明が解決しようとする課題】
【０００３】
しかしながら、特許文献１に記載された発明においては、ユーザが異なる場合においても画一的な画像しか作成できない。また、画像を鑑賞するユーザに応じて、表示される撮像画像以外の部分を変化させることができない。したがって、画像を鑑賞するユーザの満足度が必ずしも高まらない場合がある。
【０００４】
そこで本発明は、上記課題を解決することができるアルバム作成装置、アルバム作成方法、及びアルバム作成プログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態においては、アルバム作成装置であって、アルバムを構成する撮像画像に含まれる人物の年齢、またはアルバムを閲覧する人物の年齢を特定する年齢特定部と、年齢特定部が特定した年齢に基づいて、アルバムにおける撮像画像以外の部分に使用する色を選択する色選択部と、色選択部が選択した色を使用して、アルバムにおける撮像画像以外の部分に色を付加する色付加部とを備える。
【０００６】
また、色選択部は、年齢特定部が特定した年齢がより高い場合に、彩度がより低い色を選択してよい。更に、色選択部は、年齢特定部が特定した年齢がより高い場合に、明度がより低い色を選択してよい。また、年齢に対応づけて、予め定められた複数の色の組み合わせを示すカラーパレットの情報を格納するカラーパレット情報格納部をさらに備え、色選択部は、年齢特定部が特定した年齢に対応づけてカラーパレット情報格納部が格納するカラーパレットを選択し、色付加部は、色選択部が選択したカラーパレットが示す複数の色の組み合わせを使用して、アルバムにおける撮像画像以外の部分に色を付加してもよい。
【０００７】
また、年齢特定部が特定した年齢がより高い場合に、色選択部が選択した色の、アルバムにおける面積をより小さく決定する色面積決定部をさらに備えてもよい。また、アルバムを構成する撮像画像に含まれる人物の画像である人物画像を抽出する人物画像抽出部をさらに備え、年齢特定部は、人物画像抽出部が抽出した人物画像に基づいて、アルバムを構成する撮像画像に含まれる人物の年齢を特定してもよい。そして、人物画像抽出部は、抽出した人物画像に含まれる顔の画像である顔画像を抽出し、年齢特定部は、人物画像抽出部が抽出した顔画像の顔の領域に対する目の位置に基づいて、アルバムを構成する撮像画像に含まれる人物の年齢を特定してもよい。
【０００８】
また、アルバムをページ毎に順次表示する表示部をさらに備え、年齢特定部は、表示部が表示しているアルバムのページを閲覧している人物の年齢を特定し、色選択部は、年齢特定部が特定した年齢に基づいて、アルバムの次のページにおける撮像画像以外の部分に使用する色を選択し、色付加部は、色選択部が選択した色を使用して、アルバムの次のページにおける撮像画像以外の部分に色を付加し、表示部は、色付加部が色を付加したアルバムの次のページを表示してもよい。
【０００９】
更に、表示部が表示しているアルバムのページを閲覧している人物を撮像する撮像部と、撮像部が撮像した閲覧者画像に含まれる人物の画像である人物画像を抽出する人物画像抽出部とをさらに備え、年齢特定部は、人物画像抽出部が抽出した人物画像に基づいて、表示部が表示しているアルバムのページを閲覧している人物の年齢を特定してもよい。
【００１０】
また、本発明の第２の形態においては、アルバム作成方法であって、アルバムを構成する撮像画像に含まれる人物の年齢、またはアルバムを閲覧する人物の年齢を特定する年齢特定段階と、年齢特定段階が特定した年齢に基づいて、アルバムにおける撮像画像以外の部分に使用する色を選択する色選択段階と、色選択段階が選択した色を使用して、アルバムにおける撮像画像以外の部分に色を付加する色付加段階とを備える。
【００１１】
また、本発明の第３の形態においては、アルバムにおける撮像画像以外の部分に色を付加するアルバム作成装置用のアルバム作成プログラムであって、アルバム作成装置を、  アルバムを構成する撮像画像に含まれる人物の年齢、またはアルバムを閲覧する人物の年齢を特定する年齢特定部、年齢特定部が特定した年齢に基づいて、アルバムにおける撮像画像以外の部分に使用する色を選択する色選択部、色選択部が選択した色を使用して、アルバムにおける撮像画像以外の部分に色を付加する色付加部として機能させる。
【００１２】
なお、上記の発明の概要は、本発明の必要な特徴の全てを列挙したものではなく、これらの特徴群のサブコンビネーションもまた、発明となりうる。
【発明の効果】
【００１３】
本発明によれば、撮像画像に含まれる人物及び鑑賞者の年齢に基づいて、撮像画像以外の部分に、撮像されている人物及び鑑賞者に適した配色を施すことができる。
【発明を実施するための最良の形態】
【００１４】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１５】
図１は、本発明の一実施形態に係るアルバム作成装置１００の概要を示す。アルバム作成装置１００は、撮像装置３００において撮像された撮像画像に含まれる人物の年齢を特定する。そして、撮像された人物のアルバムを作成する場合において、撮像画像以外の部分に、撮像された人物の年齢に基づいた配色を施す。また、アルバム作成装置１００は、アルバムを鑑賞している人物の年齢を特定する。そして、鑑賞者の年齢に基づいて、アルバムの撮像画像以外の部分に、鑑賞者の年齢に基づいた配色を施す。
【００１６】
ここで、年齢が高い人物は、一般的に、明度、彩度の低い、落ち着いた雰囲気を醸し出す色を好む。一方、年齢の低い人物は、一般的に、明度、彩度の高い、活発な雰囲気を醸し出す色を好む。したがって、アルバムの撮像画像以外の部分に、撮像画像に含まれる人物及び鑑賞者の年齢に基づいた配色を施すことにより、ユーザの満足度を高めることができる。
【００１７】
例えば、ユーザ２１０が、撮像装置３００により、老人２１２を撮像した場合を考える。係る場合において、アルバム作成装置１００は、老人２１２の年齢を特定する。そして、アルバム作成装置１００は、老人２１２の撮像画像を含むアルバムのページ１１０を作成する場合において、彩度が低い色、又は明度が低い色、又は彩度及び明度の双方が低い色の組み合わせを選択する。そして、アルバム作成装置１００は、選択された色の組み合わせを用いて、撮像画像以外の部分に配色を施す。また、アルバム作成装置１００は、撮像画像以外の部分の全て、又は一部分を配色を施してもよい。更には、配色を施す部分の面積を、被写体の年齢がより高い場合には、より小さく設定してもよい。
【００１８】
一方、子供２１４が撮像された場合には、アルバム作成装置１００は、子供２１４の年齢を特定する。そして、アルバム作成装置１００は、子供２１４の撮像画像を含むアルバムのページ１２０を作成する場合において、彩度が高い色、又は明度が高い色、又は彩度及び明度の双方が高い色の組み合わせを選択する。そして、アルバム作成装置１００は、選択された色の組み合わせを用いて、撮像画像以外の部分に配色を施す。また、アルバム作成装置１００は、撮像画像以外の部分の全て、又は一部分を配色を施してもよい。更には、配色を施す部分の面積を、被写体の年齢がより低い場合には、より大きく設定してもよい。
【００１９】
本実施形態に係るアルバム作成装置１００は、撮像画像に含まれる人物及び鑑賞者の年齢に基づいて、撮像画像以外の部分に、撮像されている人物及び鑑賞者に適した配色を施すことを目的とする。
【００２０】
図２は、本実施形態に係るアルバム作成装置１００の機能構成の一例を示す。アルバム作成装置１００は、人物画像抽出部１０、年齢特定部２０、色選択部３０、色面積決定部４０、カラーパレット情報格納部５０、色付加部６０、撮像部７０、撮像画像格納部７５、印刷部８０、及び表示部９０を備える。アルバム作成装置１００は、撮像装置３００において撮像された撮像画像を、撮像装置３００が備えるメモリ又はインターネット等のネットワークを介して受け取る。
【００２１】
撮像装置３００から受け取った撮像画像は、人物画像抽出部１０へ供給される。人物画像抽出部１０は、アルバムを構成する撮像画像に含まれる人物の画像である、人物画像を抽出する。人物画像は、例えば、輪郭抽出処理、色分布分析処理等の画像処理により抽出してよい。人物画像抽出部１０は、抽出された人物画像を年齢特定部２０へ供給する。
【００２２】
また、人物画像抽出部１０は、アルバムを構成する撮像画像に含まれる人物の顔の画像である、顔画像を抽出する。顔画像は、例えば、以下に述べる手法により抽出できる。まず、輪郭抽出処理、色分布分析処理等の画像処理により、撮像画像に含まれる被写体を検出する。そして、検出された各被写体を示す画像から、人物の顔に固有の特徴量を検出する。そして、検出された被写体が人物である場合には、人物画像抽出部１０は、人物の顔画像を、例えば、肌色抽出等の画像処理により抽出する。
【００２３】
人物画像抽出部１０は、抽出された顔画像を、年齢特定部２０へ供給する。年齢特定部２０は、受け取った人物画像及び顔画像から、アルバムを構成する撮像画像に含まれる人物の年齢を特定する。年齢の特定は、撮像された人物の服装、姿勢等から特定してよい。例えば、人物の腰が、予め定められた角度よりも大きく曲がっていた場合には、撮像された人物は高齢であると、年齢特定部２０は特定できる。
【００２４】
また、年齢特定部２０は、撮像された人物の顔画像から、撮像された人物の年齢を特定してもよい。年齢特定部２０は、顔の輪郭、顔のしわ、しみ、髪の色、及び頬のたるみ等に基づいて年齢を特定する。例えば、顔画像から顔の輪郭を抽出する。そして、抽出された顔の輪郭を、所定の範囲ごとに分割する。続いて、分割された範囲ごとに曲率を算出する。そして、年齢特定部２０は、算出された曲率の値が小さい部分が多いほど、当該顔画像に対応付けられた人物の年齢が高いと特定してよい。
【００２５】
また、年齢特定部２０は、顔のしわが多いほど、頬のたるみが多いほど、当該顔画像に対応付けられた人物が高齢であると特定できる。更に、年齢特定部２０は、人物画像抽出部１０において抽出された顔画像の顔の領域に対する目の位置に基づいて、撮像画像に含まれる人物の年齢を特定してもよい。年齢特定部２０は、特定された撮像画像に含まれる人物の年齢を、色選択部３０へ供給する。
【００２６】
カラーパレット情報格納部５０は、年齢に対応づけて、予め定められた複数の色の組み合わせを示すカラーパレットの情報を格納する。ここで、カラーパレットとは、視覚的に調和がとれた、複数の色の組み合わせであってよい。また、カラーパレット情報格納部５０は、インターネット等で公開されたカラーパレットを含んでよく、半導体メモリ等の記録媒体に記録されたカラーパレットを含んでもよい。
【００２７】
ここで、カラーパレット情報格納部５０は、例えば、５歳以下、６歳〜１０歳、１１歳〜１５歳、１６歳〜２０歳、２１歳〜３０歳、３０歳〜４０歳、及び４０歳以上のように年齢を分類して、分類された各年齢に対応づけてカラーパレットを格納する。カラーパレットにおける複数の色の組み合わせは、例えば、低年齢ほど、彩度及び明度が高い色であってよい。そして、高年齢ほど、彩度及び明度が低い色であってよい。なお、年齢の分類は上記の分類に限られず、ユーザの好み、色の流行等に応じて異なる分類にしてもよい。カラーパレット情報格納部５０は、カラーパレットを、色選択部３０へ供給する。
【００２８】
色選択部３０は、年齢特定部２０において特定された、撮像画像に含まれる人物の年齢に基づいて、アルバムにおける撮像画像以外の部分に配色する複数の色の組み合わせを、カラーパレット情報格納部５０に格納されているカラーパレットから選択する。そして、色選択部３０は、カラーパレット情報格納部５０から、選択されたカラーパレットを受け取る。
【００２９】
色選択部３０は、年齢特定部２０において特定された撮像画像に含まれる人物の年齢がより高い場合に、カラーパレット情報格納部５０から受け取ったカラーパレットから、彩度がより低い色を選択する。また、色選択部３０は、年齢特定部２０において特定された撮像画像に含まれる人物の年齢がより高い場合に、カラーパレット情報格納部５０から受け取ったカラーパレットから、明度がより低い色を選択する。なお、色選択部３０は、年齢特定部２０において特定された撮像画像に含まれる人物の年齢がより高い場合に、彩度、明度の双方がより低い色を、カラーパレット情報格納部５０から受け取ったカラーパレットから選択してもよい。
【００３０】
色選択部３０は、選択されたカラーパレット及び年齢特定部２０において特定された人物の年齢を、色面積決定部４０へ供給する。年齢特定部２０において特定された人物の年齢がより高い場合に、色面積決定部４０は、色選択部３０において選択された色が撮像画像以外のアルバムの部分に付けられる、アルバムにおける面積をより小さく決定する。
【００３１】
色面積決定部４０は、色選択部３０において選択されたカラーパレット、及び決定された色を付加すべき面積を色付加部６０へ供給する。色付加部６０は、受け取ったカラーパレットが示す複数の色の組み合わせを使用して、色面積決定部４０において決定された面積に相当する撮像画像以外の部分に、色を付加する。
【００３２】
色付加部６０は、撮像画像以外の部分に色を付加した画像を、アルバムのページ用の画像として、印刷部８０及び表示部９０へ供給する。印刷部８０は、受け取ったアルバムのページ用の画像を印刷して、アルバムのページを作成する。また、表示部９０は、受け取ったアルバムのページ用の画像を、ページごとに順次モニタ等に表示する。そして、撮像部７０は、表示部９０に表示されているアルバムのページを閲覧している人物を撮像する。
【００３３】
撮像部７０において撮像された、アルバムを閲覧している人物の画像は、撮像画像格納部７５に供給される。撮像画像格納部７５は、閲覧者画像を格納する。ここで、閲覧者画像とは、閲覧者が撮像されている画像であってよい。そして、撮像画像格納部７５は、格納されている閲覧者画像を人物画像抽出部１０へ供給する。人物画像抽出部１０は、上記人物画像抽出部１０の機能の説明において説明したのと略同一の機能に基づいて、閲覧者画像から、閲覧者の人物画像を抽出する。
【００３４】
続いて、年齢特定部２０において、上記年齢特定部２０の機能の説明において説明したのと略同一の機能に基づいて、閲覧者の年齢を特定する。そして、カラーパレット情報格納部５０、色選択部３０、及び色面積決定部４０において、上記説明と略同一の機能に基づいて、閲覧者の年齢に対応付けられた色、及び色を付すべき撮像画像以外の部分の面積を特定する。
【００３５】
続いて、色付加部６０は、閲覧者が現在鑑賞しているアルバムの次のページの撮像画像以外の部分に、色選択部３０において選択された複数の色の組み合わせを用いて、色を付加する。そして、表示部９０は、色付加部６０において色が付加されたアルバムの次のページを表示する。
【００３６】
本実施形態に係るアルバム作成装置１００によれば、撮像されている人物の年齢を特定して、特定された年齢に対応する色の組み合わせを特定できる。そして、特定された色の組み合わせを、撮像画像以外の部分に付すことができる。これにより、被写体の人物の年齢に対応した適切なデザインを施してアルバムを作成できるので、ユーザの満足度を高めることができる。
【００３７】
また、本実施形態に係るアルバム作成装置１００によれば、モニタ等に表示されているアルバムを鑑賞している鑑賞者の年齢を特定して、鑑賞者の年齢に基づいて選択された色を、撮像画像以外の部分に付加して表示できる。これにより、鑑賞者の年齢に対応した適切な配色を施してアルバムを作成できるので、鑑賞者の満足度を高めることができる。
【００３８】
図３は、色面積決定部４０が色を付加する面積を決定する方法の一例を示す。色面積決定部４０は、年齢特定部２０において特定された人物の年齢がより高い場合に、色選択部３０において選択された色の、アルバムにおける面積をより小さく決定する。例えば、色面積決定部４０は、予め定められた範囲に区切り、年齢を分類する。そして、色面積決定部４０は、分類された年齢の範囲に対応づけて、アルバムにおける面積を決定してよい。
【００３９】
例えば、老人４０２が撮像された場合には、撮像画像４０６以外のアルバムのページ４１０において、色付加部分４０４の面積を、アルバムのページ４１０の面積に対して、より小さく設定してレイアウトする。また、子供４２２が撮像された場合には、撮像画像４２６において、色付加部分４２４の面積を、アルバムのページ４２０の面積に対して、より大きく設定してレイアウトしてもよい。また、撮像部７０において撮像された鑑賞者の年齢に基づいて、鑑賞者が鑑賞しているアルバムのページに、色を付してアルバムを表示してもよい。
【００４０】
本実施形態に係るアルバム作成装置１００によれば、被写体の人物の年齢に基づいて、アルバムの撮像画像以外の部分に色を付加する面積を決定できる。これにより、年齢が高い人物のアルバムは、落ち着いた雰囲気を出すことができ、年齢が低い人物のアルバムは、快活な雰囲気を出すことができるので、ユーザの満足度を高めることができる。
【００４１】
また、本実施形態に係るアルバム作成装置１００によれば、鑑賞者の年齢に基づいて、アルバムの撮像画像以外の部分に色を付加する面積を決定することもできる。これにより、鑑賞者ごとに適切な色を、適切な面積で付加できるので、鑑賞者の満足度を高めることができる。
【００４２】
図４は、年齢特定部２０において人物の年齢を特定する方法の一例を示す。年齢特定部２０は、人物画像抽出部１０において抽出された人物の顔画像の、顔の領域に対する目の位置に基づいて、年齢を特定する。年齢が高いほど、顔の領域における目の位置と頭頂部との距離が大きくなる。したがって、目の位置と頭頂部との距離に基づいて、人物の年齢を特定できる。
【００４３】
例えば、顔の模式図５００において、目の位置５０４と頭頂との距離５０２が、予め定められた距離よりも大きい場合には、顔の模式図５００に対応付けられる人物の年齢は低いと特定できる。また、顔の模式図５１０及び顔の模式図５２０に対応付けられる人物においては、目の位置５１４及び目の位置５２４と、各人物の頭頂との距離５１２及び距離５２２は、距離５１２から距離５２２へと短くなっている。係る場合においては、顔の模式図５２０に対応付けられる人物の年齢が、顔の模式図５１０に対応付けられる人物より高齢であると、年齢特定部２０は特定できる。
【００４４】
本実施形態に係るアルバム作成装置１００によれば、被写体及び鑑賞者の年齢を、被写体及び鑑賞者の顔の中における目の位置に基づいて特定できる。これにより、被写体及び鑑賞者に適切な色の組み合わせを選択して、アルバムの作成に用いることができるので、アルバムの鑑賞者に深い満足感を与えることができる。
【００４５】
図５は、本実施形態に係るアルバム作成装置１００のハードウェア構成の一例を示す。本実施形態に係るアルバム作成装置１００は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＣＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００４６】
ホスト・コントローラ１５８２は、ＲＡＭ１５２０と、高い転送レートでＲＡＭ１５２０をアクセスするＣＰＵ１５０５及びグラフィック・コントローラ１５７５とを接続する。ＣＰＵ１５０５は、ＲＯＭ１５１０及びＲＡＭ１５２０に格納されたプログラムに基づいて動作して、各部を制御する。グラフィック・コントローラ１５７５は、ＣＰＵ１５０５等がＲＡＭ１５２０内に設けたフレーム・バッファ上に生成する画像データを取得して、表示装置１５８０上に表示させる。これに代えて、グラフィック・コントローラ１５７５は、ＣＰＵ１５０５等が生成する画像データを格納するフレーム・バッファを、内部に含んでもよい。
【００４７】
入出力コントローラ１５８４は、ホスト・コントローラ１５８２と、比較的高速な入出力装置である通信インターフェイス１５３０、ハードディスクドライブ１５４０、ＣＤ−ＲＯＭドライブ１５６０を接続する。通信インターフェイス１５３０は、ネットワーク等を介して他の装置と通信する。ハードディスクドライブ１５４０は、アルバム作成装置１００内のＣＰＵ１５０５が使用するプログラム及びデータを格納する。ＣＤ−ＲＯＭドライブ１５６０は、ＣＤ−ＲＯＭ１５９５からプログラム又はデータを読み取り、ＲＡＭ１５２０を介してハードディスクドライブ１５４０に提供する。
【００４８】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、アルバム作成装置１００が起動時に実行するブート・プログラム、アルバム作成装置１００のハードウェアに依存するプログラム等を格納する。フレキシブルディスク・ドライブ１５５０は、フレキシブルディスク１５９０からプログラム又はデータを読み取り、ＲＡＭ１５２０を介してハードディスクドライブ１５４０に提供する。入出力チップ１５７０は、フレキシブルディスク・ドライブ１５５０、例えばパラレル・ポート、シリアル・ポート、キーボード・ポート、マウス・ポート等を介して各種の入出力装置を接続する。
【００４９】
ＲＡＭ１５２０を介してハードディスクドライブ１５４０に提供されるアルバム作成プログラムは、フレキシブルディスク１５９０、ＣＤ−ＲＯＭ１５９５、又はＩＣカード等の記録媒体に格納されて利用者によって提供される。アルバム作成プログラムは、記録媒体から読み出され、ＲＡＭ１５２０を介してアルバム作成装置１００内のハードディスクドライブ１５４０にインストールされ、ＣＰＵ１５０５において実行される。アルバム作成装置１００にインストールされて実行されるアルバム作成プログラムは、ＣＰＵ１５０５等に働きかけて、人物画像抽出部１０、年齢特定部２０、色選択部３０、色面積決定部４０、カラーパレット情報格納部５０、色付加部６０、撮像部７０、撮像画像格納部７５、印刷部８０、及び表示部９０を、図１から図４にかけて説明したアルバム作成装置１００として機能させる。
【００５０】
以上に示したアルバム作成プログラムは、外部の記憶媒体に格納されてもよい。外部記憶媒体としては、フレキシブルディスク１５９０、ＣＤ−ＲＯＭ１５９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスクまたはＲＡＭ等の記憶装置を記録媒体として使用し、ネットワークを介してプログラムをアルバム作成装置１００に提供してもよい。
【００５１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００５２】
【図１】アルバム作成装置１００の概念図である。
【図２】アルバム作成装置１００の機能構成を示すブロック図である。
【図３】色面積決定部４０が色を付加する面積を決定する方法を示す。
【図４】年齢特定部２０において人物の年齢を特定する方法を示す。
【図５】アルバム作成装置１００のハードウェア構成を示すブロック図である。
【図１】
2008535039.tif 000003
【図２】
2008535039.tif 000004
【図３】
2008535039.tif 000005
【図４】
2008535039.tif 000006
【図５】
2008535039.tif 000007
【国際調査報告】
2008535039.tif 000008